(57)【要約】【課題】集塵手段の内部に付着し堆積した塵埃を効果的に除塵でき、吸引風の低下を減少させ、集塵性能を向上することを目的とする。【解決手段】吸引風を発する電動送風機５と、硬質の固定部９と塵埃を捕集する集塵部１０からなる集塵手段３と、前記集塵手段３を収納する集塵室４とを備え、前記集塵手段３は前記固定部９により前記集塵室４内に保持されるとともに、前記集塵部１０に付着した塵埃を除塵する除塵手段３０を有するもので、塵埃を集塵し続けてもより集塵性能が落ち難い電気掃除機を提供できる。【選択図】  図１
2004174045.tif 000002
【特許請求の範囲】
【請求項１】
吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有する電気掃除機。
【請求項２】
除塵手段を集塵室内部に設けた請求項１記載の電気掃除機。
【請求項３】
集塵部に除塵手段が動作を加える請求項１または２記載の電気掃除機。
【請求項４】
集塵部を軟質材で形成した請求項１〜３のいずれか１項に記載の電気掃除機。
【請求項５】
集塵部が吸引風により膨らんだ際、多面体を有する形状をなすとともに、除塵手段は前記集塵部の少なくとも１面以上に付着した塵埃を除塵する請求項１〜４のいずれか１項に記載の電気掃除機。
【請求項６】
電動送風機を内蔵した電動送風機室を備え、前記電動送風機室と集塵室を連通する連通口を有し、除塵手段を前記連通口近傍に配設した請求項１〜５のいずれか１項に記載の電気掃除機。
【請求項７】
除塵手段を、連通口に対向する位置に配設した請求項６記載の電気掃除機。
【請求項８】
除塵手段は、集塵部が吸引風により膨らんだ際、総表面積の１０％以上の範囲に動作を加える請求項３〜７のいずれか１項に記載の電気掃除機。
【請求項９】
除塵手段は通気性を有する請求項１〜８のいずれか１項に記載の電気掃除機。
【発明の詳細な説明】
【０００１】
【発明の属する技術分野】
本発明は、集塵手段に塵埃が蓄積しても吸引力の低下を防止できる電気掃除機に関するものである。
【０００２】
【従来の技術】
従来の電気掃除機を、図５を用いて説明する。
【０００３】
９は吸引風を発する電動送風機で、１２は塵埃を捕集する集塵袋である。前記電動送風機９と前記集塵袋１２を配設した室を区画し、掃除機本体１に設けられた隔壁７に設けた連通口６に対向する集塵袋１２の面ａに付着する塵埃を除塵する除塵手段１３を配設している。前記除塵手段１３は、制御手段１７にて振動させられる振動板１５により前記面ａを叩く構成としている。その結果、電動送風機９が発する吸引風が、前記電動送風機９へと吸引される吸引流路となる集塵袋１２の面ａに、付着した塵埃を除塵することで、吸い込み力の低下を防止することができるものである。
【０００４】
【特許文献１】
特開平５−９１９６２号公報
【０００５】
【発明が解決しようとする課題】
しかしながら、上記従来の構成においては、集塵袋１２の掃除機本体１内における固定方法が明確に開示されていないため、除塵手段１３により集塵袋１２を叩いて除塵しても、集塵袋１２の吸気流入部より、塵埃がこぼれ出てしまう可能性があったり、また、前記除塵手段１３が前記集塵袋１２に与える振動が確実に集塵袋１２の面ａに伝達されず、確実かつ効率的な除塵効果が望めないという問題点があった。
【０００６】
本発明は上記課題を解決するものであり、集塵手段の内部に付着し堆積した塵埃を効果的に除塵でき、吸引風の低下を減少させ、集塵性能を向上することを目的とする。
【０００７】
【課題を解決するための手段】
上記目的を達成するために本発明は、吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有するもので、塵埃を捕集する集塵部を有する集塵手段が、硬質の固定部にて確実に集塵室内に保持されていることで、除塵手段により集塵部に除塵動作を行っても、集塵部の吸気流入部より、塵埃がこぼれ出てしまうこともなく、また、前記除塵手段が前記集塵部に与える動作が確実に集塵部に伝達され、確実かつ効率的な除塵効果が実現できる。
【０００８】
【発明の実施の形態】
本発明の請求項１記載の発明は、吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有するもので、塵埃を捕集する集塵部を有する集塵手段が、硬質の固定部にて確実に集塵室内に保持されていることで、除塵手段により集塵部に除塵動作を行っても、集塵部の吸気流入部より、塵埃がこぼれ出てしまうこともなく、また、前記除塵手段が前記集塵部に与える動作が確実に集塵部に伝達され、確実かつ効率的な除塵効果が実現できる。
【０００９】
本発明の請求項２記載の発明は、除塵手段を集塵室内部に設けたもので、除塵手段の構成として複数の部品による動作の連動が不用となり、且つ直接集塵手段への除塵動作を与えることが可能となるため、構成の簡素化、部品数の削減並びに関係部品の低減による規制緩和で、前記除塵手段の構成の多様化が実現できるものとなる。
【００１０】
本発明の請求項３記載の発明は、集塵部に除塵手段が動作を加えるもので、主として塵埃が付着し堆積した部分に、直接動作させることができるので効率的な除塵効果が得られる。
【００１１】
本発明の請求項４記載の発明は、集塵部を軟質材で形成したもので、除塵手段による動作が軟質材で形成した集塵部のみの動きで緩和され、硬質材で形成した固定部までは前記動作が伝わらないものとなる。その結果、集塵部の吸気流入部より、塵埃がこぼれ出てしまうこともなく、また、前記除塵手段が前記集塵部に与える動作が確実に集塵部に伝達され、確実かつ効率的な除塵効果が実現できる。
【００１２】
本発明の請求項５記載の発明は、集塵部が吸引風により膨らんだ際、多面体を有する形状をなすとともに、除塵手段は前記集塵部の少なくとも１面以上に付着した塵埃を除塵するもので、確実に除塵効果が発揮できるとともに、前記除塵手段の動作面積を拡大することもでき、除塵効果の拡大も実現できる。
【００１３】
本発明の請求項６記載の発明は、電動送風機を内蔵した電動送風機室を備え、前記電動送風機室と集塵室を連通する連通口を有し、除塵手段を前記連通口近傍に配設したもので、除塵手段の構成として複数の部品による動作の連動が不用となり、且つ直接集塵手段への除塵動作を与えることが可能となるため、構成の簡素化、部品数の削減並びに関係部品の低減による規制緩和で、前記除塵手段の構成の多様化が実現できるものとなる。また、吸引風が通過し塵埃の付着が多い集塵部の除塵が可能となるため、その結果、前記除塵手段における除塵効果の拡大が図れるものとなる。
【００１４】
本発明の請求項７記載の発明は、除塵手段を連通口に対向する位置に配設したもので、最も吸引風が通過し塵埃の付着が最も多い集塵部の除塵が可能となるためその結果、より除塵手段における除塵効果の拡大が図れるものとなる。
【００１５】
本発明の請求項８記載の発明は、除塵手段を集塵部が吸引風により膨らんだ際、総表面積の１０％以上の範囲に動作を加えるもので、確実に除塵効果が発揮できるとともに、前記除塵手段の動作面積を拡大することもでき、除塵効果の拡大も実現できる。
【００１６】
本発明の請求項９記載の発明は、除塵手段は通気性を有するものとしたことにより、吸引風に対する通風抵抗が低減でき、電気掃除機における吸い込み性能の低下を防止することができる。
【００１７】
【実施例】
以下、本発明の一実施例を図１〜図４を用いて説明する。
【００１８】
図１に示すように、掃除機本体１は、外郭を形成する上方開口した下カバー２の前方に、塵埃を捕集する集塵手段３を収納する集塵室４と、後方に吸引風を発生する電動送風機５を収納する電動送風機室６を設け、前記電動送風機室６の上方を上カバー７により覆い、また前記集塵室４の上方には、前記上カバー７に軸支して開閉自在に回動する蓋体８を設け構成されている。
【００１９】
前記集塵手段３は、硬質材で形成した固定部９と、軟質材で通風性を有し袋状に形成した集塵袋なる集塵部１０により構成され、前記集塵室４の前方には逆止弁１１を保持した前壁１２が形成され、その集塵室４側下方には断面が略Ｌ字状の保持リブ１３をコの字状に設けている。また、その上方にはバネ１４に付勢し軸支して回動する固定部押さえ１５が配設されており、これらは前記集塵手段３を前記集塵室４内に収納かつ固定するための保持手段としての機能を有している。
【００２０】
前記集塵手段３の固定部９下端を前記保持リブ１３に挿入し、その後固定部９の上端枠へ固定部押さえ１５を回動し爪部１６の引っ掛けにより保持を達成し、収納を行うものとしている。またその際前記固定部９は、逆支弁１１と密着した状態で保持されるものとなり、塵埃を補集する集塵手段３と集塵室４とのタイトが確立し、ゴミもれ対策が行えるものとなっている。
【００２１】
次に前記電動送風機６は、クッション前２１及びクッション後２２を介して下カバー２と上カバー７とで狭持している。また集塵室４を仕切る仕切壁２３を下カバー２及び蓋体８に相対するように設けており、この仕切壁２３同士の間にパッキン２４を介して空気のタイトを行い気密性を確保している。集塵室４と電動送風機室６とは仕切壁２３によって仕切られており、仕切壁２３に設けた連通口２６を経て集塵室４と空気が連通するようにしている。
【００２２】
また、この連通口２６には格子状にリブ２７が形成されている。前記連通口２６の吸気上流側の集塵室４内には、下カバー２より立設し収納された集塵手段３の集塵部１０外面に臨んで、振動動作を与え、開口部を複数有する振動板２８を備えた除塵手段３０が設けられている。
【００２３】
前記除塵手段３０の構成及び動作の詳細を説明する。図２に示すように、振動装置３１は集塵室４下方の下カバー２下部内に格納され蓋カバー２９で固定されており、振動装置３１の本体ケース３２からは、可動板３３より立設した中空円柱状のアーム３４が集塵室４内へ突出しており、このアーム３４に格子形状をなす振動板２８の下部にある突起３６が挿入嵌合されている。振動板２８は、仕切壁２３の連通口２６に面する集塵部１０の外面に臨んだ位置に配設しているため、集塵部１０を通過して連通口２６から吸引される吸引風を遮らないように開口部を複数有する格子形状となっている。
【００２４】
また、図３、図４に示すように、アーム３４はリング状のゴム製ブッシング３７を介して本体ケース３２に固定されている。本体ケース３２内には、電磁石３８と電磁石３９の吸引作用面と対向して平行に配置された磁石４０を先端部に固着した可動板３３が内蔵されており、可動板３３の磁石４０と反対側の一端はゴム製のスリーブ４１を介してネジ４２により、可動板３３が回動自在となるように本体ケース３２に固定されている。振動制御回路によりスイッチがＯＮされ電磁石３８にＡＣ１００Ｖ電源が通電されると、電磁石３９に生じた磁界により先端部に磁石４０を固着した可動版３３はネジ４２で固定した一端を支点として、アーム３４がゴム製ブッシング３７を前後に撓ませながら矢印５３，５４方向へＡＣ１００Ｖ電源の電源周波数（５０Ｈｚまたは６０Ｈｚ）に応じた周期で振動する。その振動はアーム３４を介して振動板２８に伝えられ、振動板２８も同様に矢印５１、５２方向へ振動し、集塵手段３の集塵部１０の外面を振動させ除塵を行なうものである。
【００２５】
上記構成によって、前記集塵部１０に付着した塵埃を除塵する除塵手段３０を有した構成とすることにより、前記集塵手段３の集塵部１０に付着し堆積した塵埃をはたき落とすことが可能となる。その結果、吸引風の低下を減少させ吸引効率を良化させることができるものとなる。
【００２６】
また、除塵手段３０を集塵室４内部に設けたことにより、除塵手段３０の構成として複数の部品による動作の連動が不用となり、且つ直接集塵手段３への除塵動作を与えることが可能となるため、構成の簡素化、部品数の削減並びに関係部品の低減による規制緩和で前記除塵手段の構成の多様化が実現できるものとなる。
【００２７】
また、集塵室４内部に設けた集塵手段３の集塵部１０に除塵手段３０が動作を加えるものとしたことで、主として塵埃が付着し堆積した部分を直接動作させることになるので効率的な効果が得られるものとなる。
【００２８】
また、集塵室４の内部に設けた集塵手段３の集塵部１０を軟質材で形成したことにより、除塵手段３０による動作が軟質材で形成した集塵部１０のみの動きで緩和され、硬質材で形成した固定部９までは前記動作が伝わらないものとなる。その結果、逆支弁１１と固定部９の密着した状態が常に維持できる、つまり、前記逆支弁１１と前記固定部９のタイト性の維持が常に実現でき、そこからのゴミ漏れ等の課題が解消される。
【００２９】
また、集塵部１０が吸引風により膨らんだ際、多面体を有する形状をなすとともに、除塵手段３の振動板２８は前記集塵部１０の少なくとも１面以上に付着した塵埃を除塵するものとしたことにより、前記除塵手段３０の動作面積が拡大され、除塵効果の拡大が図れるものとなる。
【００３０】
また、電動送風機室６と集塵室４を連通する連通口２６を有し、除塵手段３０を前記連通口２６近傍に配設するものとしたことにより、吸引風が通過し塵埃の付着が多い集塵部１０の除塵が可能となる。その結果、前記除塵手段３０における除塵効果の拡大が図れるものとなる。
【００３１】
また、除塵手段３０を連通口２６に対向される位置に配設するものとしたことにより、最も吸引風が通過し塵埃の付着が多い集塵部１０の除塵が可能となる。その結果、より前記除塵手段における除塵効果の拡大が図れるものとなる。
【００３２】
また、除塵手段３０を集塵部１０が吸引風により膨らんだ際、総表面積の１０％以上の範囲に動作を加えるものとしたことにより、前記除塵手段３０の動作面積が拡大され、より除塵効果の拡大が図れるものとなる。
【００３３】
また、除塵手段３０は通気性を有するものとしたことにより、吸引風に対する通風抵抗が低減でき、電気掃除機における吸い込み性能の劣化を防止することができる。
【００３４】
【発明の効果】
以上のように本発明によれば、集塵手段の内部に付着し堆積した塵埃を効果的に除塵でき、吸引風の低下を減少させ、集塵性能を向上できる。
【図面の簡単な説明】
【図１】本発明の一実施例を示す掃除機本体の側断面図
【図２】同蓋体を外した状態の本体の斜視図
【図３】同下カバーおよび除塵手段の部品構成を示した斜視図
【図４】同除塵手段の振動装置の拡大図
【図５】従来の掃除機本体の一部構成図
【符号の説明】
１  掃除機本体
３  集塵手段
４  集塵室
５  電動送風機
９  固定部
１０  集塵部
１１  逆止弁
１３  保持リブ
１４  バネ
１５  固定部押さえ
２６  連通口
２８  振動板
３０  除塵手段
【図１】
2004174045.tif 000003
【図２】
2004174045.tif 000004
【図３】
2004174045.tif 000005
【図４】
2004174045.tif 000006
【図５】
2004174045.tif 000007
【手続補正書】
【提出日】平成15年12月19日(2003.12.19)
【手続補正１】
【補正対象書類名】明細書
【補正対象項目名】全文
【補正方法】変更
【補正の内容】
【特許請求の範囲】
【請求項１】吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有し、前記除塵手段は、電磁石により生じた磁界により振動するアームと、前記アームに挿入され前記集塵手段を振動させる振動板とからなる電気掃除機。
【請求項２】振動板を集塵室内部に設けた請求項１記載の電気掃除機。
【請求項３】集塵部を軟質材で形成した請求項１または２記載の電気掃除機。
【請求項４】集塵部が吸引風により膨らんだ際、多面体を有する形状をなすとともに、振動板は前記集塵部の少なくとも１面以上に付着した塵埃を除塵する請求項１〜３のいずれか１項に記載の電気掃除機。
【請求項５】電動送風機を内蔵した電動送風機室を備え、前記電動送風機室と集塵室を連通する連通口を有し、振動板を前記連通口近傍に配設した請求項１〜４のいずれか１項に記載の電気掃除機。
【請求項６】振動板を、連通口に対向する位置に配設した請求項５記載の電気掃除機。
【請求項７】振動板は、集塵部が吸引風により膨らんだ際、総表面積の１０％以上の範囲に動作を加える請求項４〜６のいずれか１項に記載の電気掃除機。
【請求項８】振動板は通気性を有する請求項１〜７のいずれか１項に記載の電気掃除機。
【発明の詳細な説明】
【０００１】
【発明の属する技術分野】
本発明は、集塵手段に塵埃が蓄積しても吸引力の低下を防止できる電気掃除機に関するものである。
【０００２】
【従来の技術】
従来の電気掃除機を、図５を用いて説明する。
【０００３】
９は吸引風を発する電動送風機で、１２は塵埃を捕集する集塵袋である。前記電動送風機９と前記集塵袋１２を配設した室を区画し、掃除機本体１に設けられた隔壁７に設けた連通口６に対向する集塵袋１２の面ａに付着する塵埃を除塵する除塵手段１３を配設している。前記除塵手段１３は、制御手段１７にて振動させられる振動板１５により前記面ａを叩く構成としている。その結果、電動送風機９が発する吸引風が、前記電動送風機９へと吸引される吸引流路となる集塵袋１２の面ａに、付着した塵埃を除塵することで、吸い込み力の低下を防止することができるものである。
【０００４】
【特許文献１】
特開平５−９１９６２号公報
【０００５】
【発明が解決しようとする課題】
しかしながら、上記従来の構成においては、集塵袋１２の掃除機本体１内における固定方法が明確に開示されていないため、除塵手段１３により集塵袋１２を叩いて除塵しても、集塵袋１２の吸気流入部より、塵埃がこぼれ出てしまう可能性があったり、また、前記除塵手段１３が前記集塵袋１２に与える振動が確実に集塵袋１２の面ａに伝達されず、確実かつ効率的な除塵効果が望めないという問題点があった。
【０００６】
本発明は上記課題を解決するものであり、集塵手段の内部に付着し堆積した塵埃を効果的に除塵でき、吸引風の低下を減少させ、集塵性能を向上することを目的とする。
【０００７】
【課題を解決するための手段】
上記目的を達成するために本発明は、吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有し、前記除塵手段は、電磁石により生じた磁界により振動するアームと、前記アームに挿入され前記集塵手段を振動させる振動板とからなるもので、塵埃を捕集する集塵部を有する集塵手段が、硬質の固定部にて確実に集塵室内に保持されていることで、除塵手段により集塵部に除塵動作を行っても、集塵部の吸気流入部より、塵埃がこぼれ出てしまうこともなく、また、前記除塵手段が前記集塵部に与える動作が確実に集塵部に伝達され、確実かつ効率的な除塵効果が実現できる。
【０００８】
【発明の実施の形態】
本発明の請求項１記載の発明は、吸引風を発する電動送風機と、硬質の固定部と塵埃を捕集する集塵部からなる集塵手段と、前記集塵手段を収納する集塵室とを備え、前記集塵手段は前記固定部により前記集塵室内に保持されるとともに、前記集塵部に付着した塵埃を除塵する除塵手段を有し、前記除塵手段は、電磁石により生じた磁界により振動するアームと、前記アームに挿入され前記集塵手段を振動させる振動板とからなるもので、塵埃を捕集する集塵部を有する集塵手段が、硬質の固定部にて確実に集塵室内に保持されていることで、除塵手段により集塵部に除塵動作を行っても、集塵部の吸気流入部より、塵埃がこぼれ出てしまうこともなく、また、前記除塵手段が前記集塵部に与える動作が確実に集塵部に伝達され、確実かつ効率的な除塵効果が実現できる。
【０００９】
また、集塵部に振動板が動作を加えるため、主として塵埃が付着し堆積した部分に、直接動作させることができるので効率的な除塵効果が得られる。
【００１０】
本発明の請求項２記載の発明は、振動板を集塵室内部に設けたもので、除塵手段の構成として複数の部品による動作の連動が不用となり、且つ直接集塵手段への除塵動作を与えることが可能となるため、構成の簡素化、部品数の削減並びに関係部品の低減による規制緩和で、前記除塵手段の構成の多様化が実現できるものとなる。
【００１１】
本発明の請求項３記載の発明は、集塵部を軟質材で形成したもので、振動板による動作が軟質材で形成した集塵部のみの動きで緩和され、硬質材で形成した固定部までは前記動作が伝わらないものとなる。その結果、集塵部の吸気流入部より、塵埃がこぼれ出てしまうこともなく、また、前記振動板が前記集塵部に与える動作が確実に集塵部に伝達され、確実かつ効率的な除塵効果が実現できる。
【００１２】
本発明の請求項４記載の発明は、集塵部が吸引風により膨らんだ際、多面体を有する形状をなすとともに、振動板は前記集塵部の少なくとも１面以上に付着した塵埃を除塵するもので、確実に除塵効果が発揮できるとともに、前記振動板の動作面積を拡大することもでき、除塵効果の拡大も実現できる。
【００１３】
本発明の請求項５記載の発明は、電動送風機を内蔵した電動送風機室を備え、前記電動送風機室と集塵室を連通する連通口を有し、振動板を前記連通口近傍に配設したもので、除塵手段の構成として複数の部品による動作の連動が不用となり、且つ直接集塵手段への除塵動作を与えることが可能となるため、構成の簡素化、部品数の削減並びに関係部品の低減による規制緩和で、前記除塵手段の構成の多様化が実現できるものとなる。また、吸引風が通過し塵埃の付着が多い集塵部の除塵が可能となるため、その結果、前記除塵手段における除塵効果の拡大が図れるものとなる。
【００１４】
本発明の請求項６記載の発明は、振動板を連通口に対向する位置に配設したもので、最も吸引風が通過し塵埃の付着が最も多い集塵部の除塵が可能となるためその結果、より振動板における除塵効果の拡大が図れるものとなる。
【００１５】
本発明の請求項７記載の発明は、振動板を集塵部が吸引風により膨らんだ際、総表面積の１０％以上の範囲に動作を加えるもので、確実に除塵効果が発揮できるとともに、前記振動板の動作面積を拡大することもでき、除塵効果の拡大も実現できる。
【００１６】
本発明の請求項８記載の発明は、振動板は通気性を有するものとしたことにより、吸引風に対する通風抵抗が低減でき、電気掃除機における吸い込み性能の低下を防止することができる。
【００１７】
【実施例】
以下、本発明の一実施例を図１〜図４を用いて説明する。
【００１８】
図１に示すように、掃除機本体１は、外郭を形成する上方開口した下カバー２の前方に、塵埃を捕集する集塵手段３を収納する集塵室４と、後方に吸引風を発生する電動送風機５を収納する電動送風機室６を設け、前記電動送風機室６の上方を上カバー７により覆い、また前記集塵室４の上方には、前記上カバー７に軸支して開閉自在に回動する蓋体８を設け構成されている。
【００１９】
前記集塵手段３は、硬質材で形成した固定部９と、軟質材で通風性を有し袋状に形成した集塵袋なる集塵部１０により構成され、前記集塵室４の前方には逆止弁１１を保持した前壁１２が形成され、その集塵室４側下方には断面が略Ｌ字状の保持リブ１３をコの字状に設けている。また、その上方にはバネ１４に付勢し軸支して回動する固定部押さえ１５が配設されており、これらは前記集塵手段３を前記集塵室４内に収納かつ固定するための保持手段としての機能を有している。
【００２０】
前記集塵手段３の固定部９下端を前記保持リブ１３に挿入し、その後固定部９の上端枠へ固定部押さえ１５を回動し爪部１６の引っ掛けにより保持を達成し、収納を行うものとしている。またその際前記固定部９は、逆支弁１１と密着した状態で保持されるものとなり、塵埃を補集する集塵手段３と集塵室４とのタイトが確立し、ゴミもれ対策が行えるものとなっている。
【００２１】
次に前記電動送風機６は、クッション前２１及びクッション後２２を介して下カバー２と上カバー７とで狭持している。また集塵室４を仕切る仕切壁２３を下カバー２及び蓋体８に相対するように設けており、この仕切壁２３同士の間にパッキン２４を介して空気のタイトを行い気密性を確保している。集塵室４と電動送風機室６とは仕切壁２３によって仕切られており、仕切壁２３に設けた連通口２６を経て集塵室４と空気が連通するようにしている。
【００２２】
また、この連通口２６には格子状にリブ２７が形成されている。前記連通口２６の吸気上流側の集塵室４内には、下カバー２より立設し収納された集塵手段３の集塵部１０外面に臨んで、振動動作を与え、開口部を複数有する振動板２８を備えた除塵手段３０が設けられている。
【００２３】
前記除塵手段３０の構成及び動作の詳細を説明する。図２に示すように、振動装置３１は集塵室４下方の下カバー２下部内に格納され蓋カバー２９で固定されており、振動装置３１の本体ケース３２からは、可動板３３より立設した中空円柱状のアーム３４が集塵室４内へ突出しており、このアーム３４に格子形状をなす振動板２８の下部にある突起３６が挿入嵌合されている。振動板２８は、仕切壁２３の連通口２６に面する集塵部１０の外面に臨んだ位置に配設しているため、集塵部１０を通過して連通口２６から吸引される吸引風を遮らないように開口部を複数有する格子形状となっている。
【００２４】
また、図３、図４に示すように、アーム３４はリング状のゴム製ブッシング３７を介して本体ケース３２に固定されている。本体ケース３２内には、電磁石３８と電磁石３９の吸引作用面と対向して平行に配置された磁石４０を先端部に固着した可動板３３が内蔵されており、可動板３３の磁石４０と反対側の一端はゴム製のスリーブ４１を介してネジ４２により、可動板３３が回動自在となるように本体ケース３２に固定されている。振動制御回路によりスイッチがＯＮされ電磁石３８にＡＣ１００Ｖ電源が通電されると、電磁石３９に生じた磁界により先端部に磁石４０を固着した可動版３３はネジ４２で固定した一端を支点として、アーム３４がゴム製ブッシング３７を前後に撓ませながら矢印５３，５４方向へＡＣ１００Ｖ電源の電源周波数（５０Ｈｚまたは６０Ｈｚ）に応じた周期で振動する。その振動はアーム３４を介して振動板２８に伝えられ、振動板２８も同様に矢印５１、５２方向へ振動し、集塵手段３の集塵部１０の外面を振動させ除塵を行なうものである。
【００２５】
上記構成によって、前記集塵部１０に付着した塵埃を除塵する振動板２８を有した構成とすることにより、前記集塵手段３の集塵部１０に付着し堆積した塵埃をはたき落とすことが可能となる。その結果、吸引風の低下を減少させ吸引効率を良化させることができるものとなる。
【００２６】
また、振動板２８を集塵室４内部に設けたことにより、除塵手段３０の構成として複数の部品による動作の連動が不用となり、且つ直接集塵手段３への除塵動作を与えることが可能となるため、構成の簡素化、部品数の削減並びに関係部品の低減による規制緩和で前記除塵手段の構成の多様化が実現できるものとなる。
【００２７】
また、集塵室４内部に設けた集塵手段３の集塵部１０に振動板２８が動作を加えるものとしたことで、主として塵埃が付着し堆積した部分を直接動作させることになるので効率的な効果が得られるものとなる。
【００２８】
また、集塵室４の内部に設けた集塵手段３の集塵部１０を軟質材で形成したことにより、振動板２８による動作が軟質材で形成した集塵部１０のみの動きで緩和され、硬質材で形成した固定部９までは前記動作が伝わらないものとなる。その結果、逆支弁１１と固定部９の密着した状態が常に維持できる、つまり、前記逆支弁１１と前記固定部９のタイト性の維持が常に実現でき、そこからのゴミ漏れ等の課題が解消される。
【００２９】
また、集塵部１０が吸引風により膨らんだ際、多面体を有する形状をなすとともに、除塵手段３０の振動板２８は前記集塵部１０の少なくとも１面以上に付着した塵埃を除塵するものとしたことにより、前記振動板２８の動作面積が拡大され、除塵効果の拡大が図れるものとなる。
【００３０】
また、電動送風機室６と集塵室４を連通する連通口２６を有し、振動板２８を前記連通口２６近傍に配設するものとしたことにより、吸引風が通過し塵埃の付着が多い集塵部１０の除塵が可能となる。その結果、前記振動板２８における除塵効果の拡大が図れるものとなる。
【００３１】
また、振動板２８を連通口２６に対向される位置に配設するものとしたことにより、最も吸引風が通過し塵埃の付着が多い集塵部１０の除塵が可能となる。その結果、より前記振動板２８における除塵効果の拡大が図れるものとなる。
【００３２】
また、振動板２８を集塵部１０が吸引風により膨らんだ際、総表面積の１０％以上の範囲に動作を加えるものとしたことにより、前記振動板２８の動作面積が拡大され、より除塵効果の拡大が図れるものとなる。
【００３３】
また、振動板２８は通気性を有するものとしたことにより、吸引風に対する通風抵抗が低減でき、電気掃除機における吸い込み性能の劣化を防止することができる。
【００３４】
【発明の効果】
以上のように本発明によれば、集塵手段の内部に付着し堆積した塵埃を効果的に除塵でき、吸引風の低下を減少させ、集塵性能を向上できる。
【図面の簡単な説明】
【図１】本発明の一実施例を示す掃除機本体の側断面図
【図２】同蓋体を外した状態の本体の斜視図
【図３】同下カバーおよび除塵手段の部品構成を示した斜視図
【図４】同除塵手段の振動装置の拡大図
【図５】従来の掃除機本体の一部構成図
【符号の説明】
１  掃除機本体
３  集塵手段
４  集塵室
５  電動送風機
９  固定部
１０  集塵部
１１  逆止弁
１３  保持リブ
１４  バネ
１５  固定部押さえ
２６  連通口
２８  振動板
３０  除塵手段